(57)【要約】【課題】埋設現場での保護材を巻き付ける作業を不要にし、管路構築作業の能率と安全性の向上が図れる合成樹脂地中埋設管を提供する。【解決手段】合成樹脂管２の外周面に格子状の緩衝機能シート３を巻付け、その外側に耐摩耗性のある樹脂製の保護層４を被覆し、合成樹脂管２と緩衝機能シート３及び保護層４を一体化する。【選択図】図１
2009115159.tif 000002
【特許請求の範囲】
【請求項１】
合成樹脂管の外周に緩衝機能シートを巻付け、この緩衝機能シートの外周に耐摩耗性のある樹脂製の保護層を被覆一体化した合成樹脂地中埋設管。
【請求項２】
軸方向に移動する合成樹脂管の外周面に緩衝機能シートを巻付けると共に、この緩衝機能シートの外周に耐摩耗性のある樹脂製の保護層を押出成形によって被覆一体化する合成樹脂地中埋設管の製造方法。
【発明の詳細な説明】
【技術分野】
【０００１】
この発明は、地中に埋設する合成樹脂製のガス管や水道管、特に管表面の損傷保護を図ることができるようにした合成樹脂地中埋設管とその製造方法に関する。
【背景技術】
【０００２】
近年、地中に埋設したガス管や水道管の管路構築に用いられている管は、従来の鋼管等の金属管に代えて合成樹脂管が採用されるようになり、このような合成樹脂管は、金属管に比べて耐久性に優れ、敷設時の可撓性が折損等の事故を有効に防止することができるという利点がある。
【０００３】
上記した従来の合成樹脂管は、ＰＥ（ポリエチレン）を用いて形成され、その外周面を合成樹脂の外傷保護層で被って保護した構造を有し、必要に応じて外傷保護層の外側にロケーティングワイヤを沿わせ、地上から合成樹脂管の存在を電気的に確認することができるようにするためのロケーティング機能を付加するようになっている。
【０００４】
ところで、上記のような合成樹脂管を地中に埋設してガス管路を構築した状態で、このガス管路の近傍で地面の開削を伴う電気や水道等の他工事が施工される場合、注意をしながら掘削していても、スコップやパワーショベル等の掘削具が誤って合成樹脂管に接触することがあり、このような接触で合成樹脂管に傷を付けると、合成樹脂管の部分的な強度低下や亀裂の発生を招き、ガス漏れの発生原因になるという危惧がある。
【０００５】
このため、地中に埋設する合成樹脂管の外周を覆い、掘削具が誤って接触しても、合成樹脂管には直接傷がつかないようにする保護材が提案されている。
【０００６】
従来の保護材は、合成樹脂糸による各種織布を用いて形成し、これを埋設現場において合成樹脂管の外周に後付けによって巻き付けるようにしている（例えば、特許文献１と２参照）。
【特許文献１】特開平７−１６７３４６号公報
【特許文献２】特開平８−１９７６６６号公報
【発明の開示】
【発明が解決しようとする課題】
【０００７】
ところで、従来の保護材は、合成樹脂管の埋設現場において、合成樹脂管の外周に後付けによって巻き付けるようになっているため、埋設現場において保護材を巻き付ける作業が余分に必要になり、その分だけ管路構築作業の能率を低下させることになる。
【０００８】
また、埋設現場において保護材を巻き付ける後付け作業は、手間がかかるだけでなく、作業の周辺には掘削機器が存在してこれらが稼動しているため、常に注意を払う必要があり、安全の面からも好ましくない。
【０００９】
そこで、この発明が解決しようとする課題は、合成樹脂管に対して緩衝機能シートと保護層を先付け一体化しておくことにより、埋設現場での保護材を巻き付ける作業を不要にし、管路構築作業の能率と安全性の向上が図れる合成樹脂地中埋設管とその製造方法を提供することである。
【課題を解決するための手段】
【００１０】
上記の課題を解決するために、請求項１の発明は、合成樹脂管の外周に緩衝機能シートを巻付け、この緩衝機能シートの外周に耐摩耗性のある樹脂製の保護層を被覆一体化した構成を採用したものである。
【００１１】
請求項２の発明は、軸方向に移動する合成樹脂管の外周面に緩衝機能シートを巻付けると共に、この緩衝機能シートの外周に耐摩耗性のある樹脂製の保護層を押出成形によって被覆一体化する構成を採用したものである。
【００１２】
ここで、合成樹脂管は、ＰＥ（ポリエチレン）を用いて形成され、その外周面に巻付けた緩衝機能シートは、ＰＥ、ＰＰ、ポリエステル等を用いた樹脂製の格子状シートやフラットヤーン等を用い、また、保護層は耐磨耗性に優れたオレフィン系の樹脂が用いられている。
【００１３】
上記緩衝機能シートは、押出成形によって軸方向に押し出されて移動している合成樹脂管の外周に供給して巻付けると共に、この緩衝機能シートの外側に保護層を押出成形によって被覆すれば、合成樹脂管の外周に緩衝機能シートと保護層が一体化された合成樹脂地中埋設管となる。
【発明の効果】
【００１４】
この発明によると、合成樹脂管の外周面に緩衝機能シートを巻付け、このシートの外側に耐摩耗性のある樹脂製の保護層を被覆することで、スコップやパワーショベル等の掘削具が接触しても、保護層が強度と滑り性を有するので、掘削具を滑らせたり、その強度によって掘削具が合成樹脂管に直接損傷を与えることがないようにし、また、緩衝機能シートは、その緩衝機能によって掘削具が合成樹脂管に加える衝撃を効果的に和らげ、これによって、合成樹脂管を損傷事故から確実に保護することができる。
【００１５】
また、合成樹脂管に対して緩衝機能シートと保護層を先付け一体化したので、埋設現場での保護材巻付け作業が不要になり、管路構築作業の能率と安全性の向上が図れることになる。
【発明を実施するための最良の形態】
【００１６】
以下、この発明の実施の形態を添付図面に基づいて説明する。
【００１７】
図示のように、合成樹脂地中埋設管１は、ＰＥを用いた合成樹脂管２の外周面に緩衝機能シート３を巻付け、この緩衝機能シート３の外側に耐摩耗性のある樹脂製の保護層４を被覆した一体構造に形成されている。
【００１８】
上記緩衝機能シート３は、ＰＥ、ＰＰ、ポリエステル等を用いた合成樹脂の線材を格子状（メッシュ状）にした格子状シートやフラットヤーン等を用い、また、保護層４は耐磨耗性に優れた、強度と滑り性のよいオレフィン系の樹脂が用いられている。
【００１９】
上記緩衝機能シート３は、合成樹脂管２の外周面に巻付けることのできる幅の長い帯状に予め形成されており、この緩衝機能シート３を合成樹脂管２の外周面に巻付けるための巻付機構を、合成樹脂管２の押出成形機の下流位置に配置し、巻付機構によって前記緩衝機能シート３を、押出成形によって軸方向に押し出されて行く合成樹脂管２の外周に供給して丸めながら巻付け、その両側を突合せ状又は重なり状にして巻付ける。
【００２０】
また、保護層４の被覆は、上記巻付機構の下流位置に、保護層４の押出成形機を配置し、通過していく合成樹脂管２と緩衝機能シート３の外側に保護層４を筒状に押し出し成形し、これによって合成樹脂管２と緩衝機能シート３の外側に保護層４を被覆する。
【００２１】
上記のようにして、合成樹脂管２の外周面に緩衝機能シート３を巻付け、その外側に保護層４を被覆すれば、合成樹脂管２の外周に緩衝機能シート３と保護層４が一体化された合成樹脂地中埋設管１となる。
【００２２】
この発明の合成樹脂地中埋設管１は、上記のような構成であり、これを地中に埋設することにより、例えば、地中にガス管路を構築する。
【００２３】
上記合成樹脂地中埋設管１は、合成樹脂管２に対して緩衝機能シート３と保護層４を先付け一体化したので、埋設現場での保護材巻付け作業が不要になり、管路構築作業の能率と安全性の向上が図れる。
【００２４】
上記合成樹脂地中埋設管１により地中にガス管路を構築した状態において、このガス管路の近傍で地面の開削を伴う電気や水道等の他工事が施工される場合、注意をしながら掘削していても、スコップやパワーショベル等の掘削具が誤って合成樹脂地中埋設管１に接触することがある。
【００２５】
このような場合、スコップやパワーショベル等の掘削具が接触しても、保護層４が強度と滑り性を有するので、当接した掘削具を外周の外方へ滑らせたり、その強度によって掘削具が合成樹脂管２に直接損傷を与えることがないように保護し、また、緩衝機能シート３は、樹脂製の格子状シートやフラットヤーン等を用いているので、その弾力性による緩衝機能に優れ、保護層４に掘削具が接触した場合、掘削具が合成樹脂管２に加える衝撃を効果的に和らげ、これによって、合成樹脂管２を損傷事故から確実に保護することができる。
【図面の簡単な説明】
【００２６】
【図１】（ａ）は合成樹脂地中埋設管の一部切り欠き正面図、（ｂ）は（ａ）の矢印ｂ−ｂ線での縦断側面図
【図２】合成樹脂地中埋設管の一部切り欠き斜視図
【符号の説明】
【００２７】
１    合成樹脂地中埋設管
２    合成樹脂管
３    緩衝機能シート
４    保護層
【図１】
2009115159.tif 000003
【図２】
2009115159.tif 000004